(57)【要約】      （修正有）【課題】外部からパネル内部に流入する静電気を除去するかまたは減少させ静電気による内部パターンの損傷を防止することによって、タッチ位置感知動作の不良を改善することが可能なタッチスクリーンパネルを提供する。【解決手段】タッチスクリーンパネル１００は、透明基板１１０、第１感知ライン１２０及び第２感知ライン１４０を具備する。第１感知ライン１２０は、第１方向に配列される複数の第１感知セル１２１及び隣接する第１感知セル１２１を接続する複数の第１接続パターン１２２を含む。第２感知ライン１４０は、第２方向に沿って配列される複数の第２感知セル１４１及び隣接する第２感知セル１４１を接続する複数の第２接続パターン１４２を含む。第１感知セル１２１及び第２感知セル１４１のうち、少なくとも１つは開口部と、開口部内に配置される導電性パターンを含む。【選択図】図１
2018097893.tif 000002
【特許請求の範囲】
【請求項１】
透明基板と、
前記透明基板上に第１方向に配列される複数の第１感知セル、及び隣接する前記第１感知セルを連結する複数の第１連結パターンを有する第１感知ラインを含み、それぞれの前記第１感知セルは複数の第１開口部、前記第１開口部内に配置される複数の第１導電性パターン、複数の第３開口部及び前記第３開口部内に配置される複数の第３導電性パターンを備え、
前記第１方向に直交する第２方向に前記透明基板上に配列される複数の第２感知セル及び隣接する前記第２感知セルを連結する複数の第２連結パターンを有し、前記第１感知ラインと電気的に絶縁される第２感知ラインを含み、それぞれの前記第２感知セルは複数の第２開口部及び前記第２開口部内に配置される複数の第２導電性パターンを備え、
前記複数の第３導電性パターンの端部に配置される複数のダミー配線パターンを含み、
それぞれの前記第１感知セル及び前記第２感知セルは透明導電性物質を含むことを特徴とするタッチスクリーンパネル。
【請求項２】
それぞれの前記第３開口部は、スロット形状を有することを特徴とする請求項１に記載のタッチスクリーンパネル。
【請求項３】
それぞれの前記ダミー配線パターンは、前記第２感知セルの隣接するものを前記第３導電性パターンの対応するものの端部に連結することを特徴とする請求項１に記載のタッチスクリーンパネル。
【請求項４】
前記ダミー配線パターンは、前記第２感知セル及び前記第３導電性パターンが配置される平面と異なる平面上に配置されることを特徴とする請求項１に記載のタッチスクリーンパネル。
【請求項５】
それぞれの前記ダミー配線パターンの一側端部は、前記第２感知セルの対応するものと重なり、それぞれの前記ダミー配線パターンの他側端部は前記第３導電性パターンの対応するものと重なることを特徴とする請求項１に記載のタッチスクリーンパネル。
【請求項６】
前記ダミー配線パターンは、前記第３導電性パターンに対してそれぞれ異なる方向に延長されることを特徴とする請求項１に記載のタッチスクリーンパネル。
【請求項７】
前記ダミー配線パターンの１つは前記第３導電性パターンの１つの端部に配置され、前記ダミー配線パターンの他の１つは前記第３導電性パターンの他の１つの対向する端部に配置されることを特徴とする請求項６に記載のタッチスクリーンパネル。
【請求項８】
前記ダミー配線パターンは、前記第３導電性パターンの端部に交互に配置されることを特徴とする請求項６に記載のタッチスクリーンパネル。
【請求項９】
それぞれの前記ダミー配線パターンは、金属または導電性金属化合物を含むことを特徴とする請求項１に記載のタッチスクリーンパネル。
【請求項１０】
それぞれの前記第２感知セルは、複数の第４開口部及び前記第４開口部内に配置される複数の第４導電性パターンを含むことを特徴とする請求項１に記載のタッチスクリーンパネル。
【発明の詳細な説明】
【技術分野】
【０００１】
本発明はタッチスクリーンパネルに関する。
【背景技術】
【０００２】
最近、リモコン、キーボード、及びマウスなどの画像表示装置に接続される入力装置の代わりにタッチスクリーンパネルが広く使われている。一般的にタッチスクリーンパネルは、表示される画面に現れた指示内容に対してスタイラスペン（ｓｔｙｌｕｓ  ｐｅｎ）、指などのタッチ手段でタッチすることによって使用者の命令を入力できる入力装置である。前記タッチスクリーンパネルにおいて、タッチ手段でタッチされた位置を電気的信号に変換し、前記電気的信号によって確認されたタッチ位置において選択された指示内容を入力信号として動作させることができる。
【０００３】
前記タッチスクリーンパネルは、タッチを感知する方法に従って、静電容量方式（ｃａｐａｃｉｔｉｖｅ  ｔｙｐｅ）、抵抗膜方式（ｒｅｓｉｓｔｉｖｅ  ｔｙｐｅ）、電磁気誘導方式（ｅｌｅｃｔｒｏ−ｍａｇｎｅｔｉｃ  ｔｙｐｅ）などに区分することができる。
【０００４】
前記静電容量方式のタッチスクリーンパネルは、画面がタッチされる時、導電性感知セルに形成される静電容量の変化を感知してタッチ位置を検出する。
【０００５】
前記静電容量方式のタッチスクリーンパネルは、タッチ位置を正確に感知するために感知セルの接続パターンが交差する構造を有する、即ち、複数の第１感知セル、前記第１感知セル同士を接続する第１接続パターン、前記第１感知セルと交差する複数の第２感知セル、そして前記第２感知セル同士を接続する第２接続パターンを備え得る。前記第１感知セルと前記第２感知セルは、互いに直交する方向に沿って延長され得る。ここで、前記第１及び第２接続パターンは、前記第１感知セル及び第２感知セルに比べて相対的に幅が狭く形成され得る。従って、前記第１接続パターン及び第２接続パターンは相対的に大きい抵抗値を有することになる。その反面、薄膜形成工程の制約で前記第１接続パターン及び第２接続パターンの間に介在させる絶縁膜の厚さを薄く形成することができる。
【先行技術文献】
【特許文献】
【０００６】
【特許文献１】韓国特許公開第１０−２０１１−００４１０４３号公報
【発明の概要】
【発明が解決しようとする課題】
【０００７】
しかし、上述した構造的特徴によって、従来のタッチスクリーンパネルにおいては、外部から第１感知ラインまたは第２感知ラインに静電気が流入する場合、前記第１接続パターン及び第２接続パターン部位が損傷を受ける可能性があり、前記第１接続パターンや前記第２接続パターンが損傷すると、前記タッチスクリーンパネルで正確なタッチ位置の感知動作が難しくなるという問題点がある。
【０００８】
そこで、本発明は、上記問題に鑑みてなされたものであり、本発明の目的とするところは、外部からパネル内部に流入する静電気を除去するかまたは減少させ静電気による内部パターンの損傷を防止することによって、タッチ位置感知動作の不良を改善することが可能な、新規かつ改良されたタッチスクリーンパネルを提供することにある。
【０００９】
なお、本発明が解決しようとする課題は前述した課題によって限定されず、本発明の思想及び領域から逸脱しない範囲内で多様に拡張することができる。
【課題を解決するための手段】
【００１０】
上記課題を解決するために、本発明のある観点によれば、透明基板と、前記透明基板上に第１方向に配列される複数の第１感知セル、及び、隣接する前記第１感知セルを接続する複数の第１接続パターンを含む第１感知ラインと、前記第１感知ラインと電気的に絶縁され、前記第１方向に直交する第２方向に前記透明基板上に配列される複数の第２感知セル、及び、前記第２感知セルを接続する複数の第２接続パターンを含む第２感知ラインと、を含み、前記第１感知セルは、それぞれ前記第１接続パターンに隣接する複数の第１開口部及び前記第１開口部内に配置される複数の第１導電性パターンを備え、前記第２感知セルは、それぞれ前記第２接続パターンに隣接する複数の第２開口部及び前記第２開口部内に配置される複数の第２導電性パターンを備えることを特徴とするタッチスクリーンパネルが提供される。
【００１１】
前記第１開口部は、前記第２方向に沿って配列され、前記第２開口部は前記第１方向に配列されてもよい。
【００１２】
前記第１開口部及び前記第２開口部は、それぞれジグザグ（ｚｉｇｚａｇ）形状に配列されてもよい。
【００１３】
前記第１開口部及び前記第２開口部は、それぞれ円形状、ダイヤモンド形状、多角形状のいずれかであってもよい。
【００１４】
前記第１導電性パターンは、前記第１開口部内に島状に配置され、前記第２導電性パターンは前記第２開口部内に島状に配置されてもよい。
【００１５】
前記第１感知セル及び前記第２感知セルは、それぞれ透明な導電性物質を含んでもよい。
【００１６】
前記第１導電性パターンは、前記第１感知セルと同じ物質を含み、前記第２導電性パターンは、前記第２感知セルと同じ物質を含んでもよい。
【００１７】
前記第１感知セル及び前記第２感知セルは、それぞれダイヤモンド形状、菱形状、正方形状のいずれかであってもよい。
【００１８】
前記第１接続パターンは、前記第１感知セルと一体で形成され、前記第２接続パターンは、前記第１接続パターンと所定の間隔で離隔され前記第１感知セルと部分的に重なってもよい。
【００１９】
隣接する前記第２感知セルの間に一対の前記第２接続パターンが配置され、１つの第１接続パターンが前記一対の第２接続パターンの間に配置されてもよい。
【００２０】
前記第１感知セルは、前記第１接続パターンに隣接し、前記第２方向に延長するスロット形状のダミー開口部を含み、前記第２接続パターンは、前記ダミー開口部に島状に配置されるブリッジパターンと、前記第１感知セル及び第２感知セルと異なる平面上に配置され、前記ブリッジパターンの端部を隣接する前記第２感知セルに電気的に接続する配線パターンと、を含んでもよい。
【００２１】
前記ダミー開口部は、前記第１接続パターンと前記第１開口部との間に配置されてもよい。
【００２２】
前記ブリッジパターンは、透明な導電性物質を含み、前記配線パターンは、金属または導電性金属化合物を含んでもよい。
【００２３】
前記第１感知セルは、前記第１接続パターンに隣接する２つの側面にそれぞれ平行な第１延長部及び第２延長部、そして、前記第１延長部と前記第２延長部を接続する第１中央部を備える第３開口部をさらに含み、前記第２感知セルは、前記第２接続パターンに隣接する２つの側面にそれぞれ平行な第３延長部及び第４延長部、そして、前記第３延長部と前記第４延長部を接続する第２中央部を備える第４開口部をさらに含んでもよい。
【００２４】
前記第１中央部は、前記第１延長部に対して平行な第１サブ中央部及び前記第２延長部に対して平行な第２サブ中央部を含み、前記第２中央部は前記第３延長部に対して平行な第３サブ中央部及び前記第４延長部に対して平行な第４サブ中央部を含んでもよい。
【００２５】
前記第１開口部は、前記第１接続パターンに隣接する前記第１感知セルの一側面と前記第１延長部との間、及び、前記第１接続パターンに隣接する前記第１感知セルの他の側面と前記第２延長部との間に配置され、前記第２開口部は、前記第２接続パターンに隣接する前記第２感知セルの一側面と前記第３延長部との間、及び、前記第２接続パターンに隣接する前記第２感知セルの他の側面と前記第４延長部との間に配置されてもよい。
【００２６】
前記第１感知セルの一側面と前記第１延長部との間に位置する前記第１開口部は、前記第１感知セルの一側面に対して平行に配置され、前記第１感知セルの他の側面と前記第２延長部との間に位置する前記第１開口部は、前記第１感知セルの他の側面に対して平行に配置され、前記第２感知セルの一側面と前記第３延長部との間に位置する前記第２開口部は、前記第２感知セルの一側面に対して平行に配置され、前記第２感知セルの他の側面と前記第４延長部との間に位置する前記第２開口部は、前記第２感知セルの他の側面に対して平行に配置されてもよい。
【００２７】
前記第１感知セルは、前記第３開口部内に配置される第３導電性パターンをさらに含み、前記第２感知セルは、前記第４開口部内に配置される第４導電性パターンをさらに含んでもよい。
【００２８】
前記第３導電性パターンは、前記第３開口部内に島状に配置され、前記第４導電性パターンは、前記第４開口部内に島状に配置されてもよい。
【００２９】
前記第１感知セル及び前記第３導電性パターンと異なる平面上に配置され、一側が前記第１感知セルに電気的に接続され、他側が前記第３導電性パターンに部分的に重なる、少なくとも１つの第１避雷針部材と、前記第２感知セル及び前記第４導電性パターンと異なる平面上に配置され、一側が前記第２感知セルに電気的に接続され、他側が前記第４導電性パターンに部分的に重なる、少なくとも１つの第２避雷針部材をさらに含んでもよい。
【００３０】
前記第１避雷針部材及び前記第２避雷針部材は、それぞれ金属または導電性金属化合物を含んでもよい。
【００３１】
前記第１避雷針部材は、前記第３導電性パターンの一側の端部に配置され、前記第２避雷針部材は、前記第４導電性パターンの一側の端部に配置されてもよい。
【００３２】
前記第１感知セルは、前記第２方向に沿って延長するスロット形状を有し、互いに平行に配置される複数の第５開口部、及び前記第５開口部内に配置される第５導電性パターンをさらに含んでもよい。
【００３３】
前記第５開口部は、前記第１接続パターンと前記第３開口部との間に配置されてもよい。
【００３４】
前記第５導電性パターンは、前記第５開口部内に島状に配置されてもよい。
【００３５】
前記第５導電性パターンは、透明な導電性物質を含んでもよい。
【００３６】
前記複数の第５開口部は、互いに異なる長さを有してもよい。
【００３７】
前記第５導電性パターン及び前記第２感知セルと異なる平面上に配置され、前記第５導電性パターンの一側または他側を隣接する前記第２感知セルに接続するダミー配線パターンをさらに含んでもよい。
【００３８】
前記ダミー配線パターンは、金属または導電性金属化合物を含んでもよい。
【００３９】
前記ダミー配線パターンは、隣接する前記第５導電性パターンごとに異なる側のみに配置してもよい。
【００４０】
また、上記課題を解決するために、本発明の別の観点によれば、透明基板と、前記透明基板上に第１方向に配列される複数の第１感知セル、及び、隣接する前記第１感知セルを接続する複数の第１接続パターンを含む第１感知ラインと、前記第１感知ラインと電気的に絶縁され、前記第１方向に直交する第２方向に沿って前記透明基板上に配列される複数の第２感知セル、及び、隣接する前記第２感知セルを接続する複数の第２接続パターンを含む第２感知ラインと、を含み、前記第１感知セル及び前記第２感知セルのうち、少なくとも１つは、開口部及び前記開口部内に配置される導電性パターンを含むことを特徴とするタッチスクリーンパネルが提供される。
【００４１】
前記第１感知セルは、前記第１接続パターンに隣接して前記第２方向に延長するスロット形状の第１開口部、及び前記第１開口部内に配置される第１導電性パターンを含んでもよい。
【００４２】
前記第２感知セルは、前記第２接続パターンに隣接して前記第１方向に延長するスロット形状の第２開口部、及び前記第２開口部内に配置される第２導電性パターンを含んでもよい。
【００４３】
前記第１導電性パターンは、前記第１開口部内に島状に配置され、前記第２導電性パターンは、前記第２開口部内に島状に配置されてもよい。
【００４４】
前記第１感知セルは、前記第１開口部の内壁から突出し、互いに離隔される複数の第１突出部をさらに含み、前記第２感知セルは、前記第２開口部の内壁から突出し、互いに離隔される複数の第２突出部をさらに含んでもよい。
【００４５】
前記第１導電性パターンは、前記第１突出部に対応する複数の第３突出部を含み、前記第２導電性パターンは、前記第２突出部に対応する複数の第４突出部を含んでもよい。
【発明の効果】
【００４６】
以上説明したように本発明によれば、外部からタッチスクリーンパネルの内部に流入する静電気による構成要素の損傷を防止してタッチスクリーンパネルのタッチ位置感知動作の不良を改善することができるタッチスクリーンパネルが提供される。
【図面の簡単な説明】
【００４７】
【図１】本発明の第１の実施形態に係るタッチスクリーンパネルを示す平面図である。
【図２】本発明の第１の実施形態に係るタッチスクリーンパネルの一部を拡大した平面図である。
【図３】図２に示したタッチスクリーンパネルをＩ−Ｉ’ラインに沿って切断した断面図である。
【図４】図２に示したタッチスクリーンパネルをＩＩ−ＩＩ’ラインに沿って切断した断面図である。
【図５】本発明の第２の実施形態に係るタッチスクリーンパネルの一部を拡大した平面図である。
【図６】本発明の第３の実施形態に係るタッチスクリーンパネルの一部を拡大した平面図である。
【図７】図６に示したタッチスクリーンパネルの第２開口部を部分的に拡大した平面図である。
【図８】図７に示したタッチスクリーンパネルをＩＩＩ−ＩＩＩ’ラインに沿って切断した断面図である。
【図９】本発明の第４の実施形態に係るタッチスクリーンパネルの一部を拡大した平面図である。
【図１０】本発明の第５の実施形態に係るタッチスクリーンパネルの一部を拡大した平面図である。
【図１１】図１０に示したタッチスクリーンパネルの第１開口部を部分的に拡大した平面図である。
【発明を実施するための形態】
【００４８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４９】
本明細書において、第１、第２等の用語は多様な構成要素を説明するのに使用することができるが、これらの構成要素がこのような用語によって限定されてはならない。これらの用語は１つの構成要素を他の構成要素から区別する目的で使われる。例えば、本発明の権利範囲から逸脱せずに第１構成要素は第２構成要素と命名することができ、同様に第２構成要素も第１構成要素と命名することができる。
【００５０】
ある構成要素が他の構成要素に「連結されて」いる、または「接触されて」いると言及された場合には、その他の構成要素に直接的に連結されていたり、接触されていたりすることも意味するが、中間に他の構成要素が存在する場合も含むと理解されたい。一方、ある構成要素が他の構成要素に「直接接触されて」いる、または「直接接続されて」いると言及された場合には、中間に他の構成要素が存在しないと理解されたい。構成要素の間の関係を説明する他の表現、即ち「〜間に」と「すぐに〜間に」または「〜に隣接する」と「〜に直接隣接する」等も同じように解釈されたい。
【００５１】
本明細書で使用した用語は単に特定の実施形態を説明するために使用したもので、本発明を限定するものではない。単数の表現は文脈上明白に異なるように意味しない限り、複数の表現を含む。本明細書で「含む」または「有する」等の用語は明細書上に記載された特徴、数字、段階、動作、構成要素、部品または、これを組み合わせたものが存在するということを示すものであって、１つまたはそれ以上の他の特徴や数字、段階、動作、構成要素、部品または、これを組み合わせたものなどの存在または、付加の可能性を、予め排除するわけではない。
【００５２】
また、別に定義しない限り、技術的或いは科学的用語を含み、本明細書中において使用される全ての用語は本発明が属する技術分野で通常の知識を有する者であれば、一般的に理解するのと同一の意味を有する。一般的に使用される辞書において定義する用語と同じ用語は関連技術の文脈上に有する意味と一致する意味を有するものと理解するべきで、本明細書において明白に定義しない限り、理想的或いは形式的な意味として解釈してはならない。
【００５３】
図１は、本発明の第１の実施形態に係るタッチスクリーンパネルを示す平面図であり、図２は本発明の第１の実施形態に係るタッチスクリーンパネルの一部を拡大した平面図である。また、図３は図２に示したタッチスクリーンパネルをＩ−Ｉ’ラインに沿って切断した断面図であり、図４は図２に示したタッチスクリーンパネルをＩＩ−ＩＩ’ラインに沿って切断した断面図である。
【００５４】
図１、図２、図３及び図４を参照すると、本発明の第１の実施形態に係るタッチスクリーンパネル１００は、透明基板１１０、第１感知ライン１２０、第１導電性パターン１３０、第２感知ライン１４０、第２導電性パターン１５０、第１検出配線１６０、第２検出配線１７０を含み得る。
【００５５】
透明基板１１０は、透明な絶縁物質から構成され得る。例えば、透明基板１１０は、ガラス基板、透明プラスチック基板、透明繊維基板、透明フィルム基板などを含み得る。
【００５６】
本実施形態では、透明基板１１０は感知領域及び周辺領域を含み得る。前記感知領域は、実質的に透明基板１１０の中央部に該当し得る。第１感知ライン１２０及び第２感知ライン１４０は、前記感知領域に位置し、前記感知領域により使用者によるタッチスクリーンパネル１００のタッチに対する実質的な感知動作を遂行することができる。前記周辺領域によって、前記感知領域を実質的に囲むことができ、前記周辺領域には第１検出配線１６０及び第２検出配線１７０を配置することができる。
【００５７】
第１感知ライン１２０は、透明基板１１０上で第１方向に延長され得る。ここで、前記第１方向は、例えば、透明基板１１０の長手方向に該当し得る。これとは違って、前記第１方向は透明基板１１０の横方向にも該当し得る。
【００５８】
本実施形態では、複数の第１感知ライン１２０を透明基板１１０上に配置することができる。前記複数の第１感知ライン１２０は、互いに所定の間隔で離隔され、互いに実質的に平行に配列され得る。
【００５９】
第１感知ライン１２０は、複数の第１感知セル１２１及び複数の第１接続パターン１２２を含み得る。第１感知セル１２１は、前記第１方向に沿って配列され、隣接する第１感知セル１２１は、互いに所定の間隔で離隔され得る。第１接続パターン１２２は、隣接する第１感知セル１２１の間に位置され、隣接する第１感知セル１２１を互いに接続され得る。本実施形態では、第１接続パターン１２２は、１つの第１感知セル１２１の一側（例えば、下部）と隣接する第１感知セル１２１の一側（例えば、上部）で互いに接続され得る。このように、第１接続パターン１２２により隣接する第１感知セル１２１を順次に接続させることができるので、透明基板１１０上で前記第１方向に延長する第１感知ライン１２０を具現させることができる。
【００６０】
第１感知セル１２１は、実質的に使用者によるタッチスクリーンパネル１００に対するタッチ動作に伴う静電容量の変化を感知することができる。本実施形態では、第１感知セル１２１は、実質的にダイヤモンド形状、菱形状、面取りをした正方形状であり得る。しかし、第１感知セル１２１の形状が前述の形状に限定されず、タッチスクリーンパネル１００の形状により第１感知セル１２１は多様な形状であり得る。
【００６１】
第１感知セル１２１は、透明導電性物質で構成され得る。例えば、第１感知セル１２１は、インジウム亜鉛酸化物（ｉｎｄｉｕｍ  ｚｉｎｃ  ｏｘｉｄｅ；ＩＺＯ）、インジウム錫酸化物（ｉｎｄｉｕｍ  ｔｉｎ  ｏｘｉｄｅ；ＩＴＯ）、アンチモン錫酸化物（ａｎｔｉｍｏｎｙ  ｔｉｎ  ｏｘｉｄｅ；ＡＴＯ）、亜鉛酸化物（ＺｎＯｘ）、インジウムガリウム酸化物（ｉｎｄｉｕｍ  ｇａｌｌｉｕｍ  ｏｘｉｄｅ；ＩＧＯ）、ガリウム酸化物（ＧａＯｘ）、錫酸化物（ＳｎＯｘ）などを含み得る。これらは単独、または、互いに組み合わせて使用することができる。
【００６２】
第１接続パターン１２２は、第１感知セル１２１の幅より相対的に小さい幅であり得る。本実施形態では、第１接続パターン１２２は、第１感知セル１２１と実質的に同じ物質を含み得る。例えば、第１接続パターン１２２は上述した透明な導電性物質で構成され得る。第１接続パターン１２２が第１感知セル１２１と実質的に同じ物質を含む場合、第１接続パターン１２２は、第１感知セル１２１と実質的に一体で形成され得る。本実施形態では、第１接続パターン１２２は、金属または導電性金属化合物を含み得る。即ち、第１接続パターン１２２と第１感知セル１２１は、互いに相異なる物質で構成され得る。例えば、第１接続パターン１２２は、それぞれ、銀（Ａｇ）、銅（Ｃｕ）、白金（Ｐｔ）、パラジウム（Ｐｄ）、コバルト（Ｃｏ）、クロム（Ｃｒ）、ニッケル（Ｎｉ）、金（Ａｕ）、これらの酸化物などで構成され得る。第１接続パターン１２２が金属または導電性金属化合物を含む場合、第１接続パターン１２２は、第１感知セル１２１と部分的に重なり得る。
【００６３】
本実施形態では、金属や導電性金属化合物を含む第１接続パターン１２２と第１感知セル１２１との間には絶縁膜（図示せず）が介在し得る。この場合、第１接続パターン１２２は、前記絶縁膜パターンに形成されたホール（図示せず）を介して延長して第１感知セル１２１に接続され得る。
【００６４】
本実施形態では、第１接続パターン１２２に隣接する部分の第１感知セル１２１には、複数の第１開口部１２３が提供され得る。前記第１開口部１２３には、静電気を除去できるように第１導電性パターン１３０が配置され得る。これによって、第１感知セル１２１は、複数の第１開口部１２３と複数の第１導電性パターン１３０を含み得る。例えば、第１開口部１２３は、実質的に円形、楕円形、多角形の形状などの多様な平面形状であり得る。また、第１導電性パターン１３０は、第１開口部１２３内に実質的に島状に配置され得る。しかし、このような第１導電性パターン１３０の形状は、対応する第１開口部１２３の形状により変化し得る。
【００６５】
第１導電性パターン１３０は、外部から第１感知ライン１２０を介して流入する静電気を除去するかまたは大きく減少させる役割を遂行し得る。外部から第１感知ライン１２０を介して流入する静電気は、第１開口部１２３内に位置する第１導電性パターン１３０に蓄積させることができ、これにより、前記静電気の量を減少させるかまたは静電気を除去することができる。例えば、外部から正（＋）電荷を含む静電気が第１感知ライン１２０を通して流入する場合、第１導電性パターン１３０の表面上に負（−）電荷が蓄積されながら、前記正（＋）電荷をトラップ（ｔｒａｐ）することができるため、前記静電気を減少させるかまたは除去することができる。外部から第１感知ライン１２０を介して流入する静電気は、第１感知ライン１２０が延長する方向、即ち、前記第１方向に沿って流れ得る。前述の静電気による損傷は、相対的に小さい幅を有する第１接続パターン１２２とその周辺に位置する構成要素から主に発生し得る。本実施形態では、第１接続パターン１２２とその周辺構成要素の損傷を効果的に防止するために、第１開口部１２３と第１導電性パターン１３０が第１接続パターン１２２に隣接して配置され得る。
【００６６】
再び、図１〜図４を参照すると、第１感知セル１２１の両側部（例えば、上部及び下部）は、第１接続パターン１２２と接続され、これによって、第１開口部１２３が第１感知セル１２１の両側部に隣接して配置され得る。例えば、第１開口部１２３は第１感知セル１２１の上部に隣接する部分と下部に隣接する部分にそれぞれ形成され得る。前記第１方向を基準とする場合、１つの第１感知セル１２１の第１開口部１２３のセットと隣接する第１感知セル１２１の第１開口部１２３のセットのとの間に第１接続パターン１２２が位置し得る。第１開口部１２３は前記第１方向に対して実質的に直交する第２方向に沿って配列され得る。第１感知セル１２１の第１開口部１２３のセットは、複数の列（ｒｏｗ）で配列された第１開口部１２３で構成され得る。第１感知セル１２１内に第１開口部１２３を全体的にマトリックス形状に配置される場合、隣接する第１開口部１２３の間の空間を静電気の直接的な通路にすることができる。
【００６７】
本実施形態では、第１開口部１２３は前記第２方向に沿って実質的にジグザグ（ｚｉｇｚａｇ）形状に配置され得る。これと共に第１開口部１２３が全体的にジグザグ形状を有する場合には、隣接する第１開口部１２３の間に別の列の第１開口部１２３が位置するため、静電気を迂回させて流すことができる。その結果、第１開口部１２３内の構成と第１導電性パターン１３０によって第１感知ライン１２０に流入する静電気をより効果的に除去するか、或いは、減少させることができる。
【００６８】
本実施形態では、第１導電性パターン１３０は第１開口部１２３と実質的に同一または類似の形状を有し得る。第１導電性パターン１３０の形状が第１開口部１２３の形状と実質的に同一である場合、第１導電性パターン１３０は第１開口部１２３の内壁から均一な間隔で離隔され得る。即ち、第１導電性パターン１３０と第１開口部１２３の内壁との間には所定幅を有する空間を介在させることができる。また、第１導電性パターン１３０は第１感知セル１２１の他の部分と実質的に同じ平面上に位置し得る。
【００６９】
図３及び図４に示したように、実質的に同じ平面上に配置される第１感知セル１２１と第１導電性パターン１３０上には保護層１１４が形成され得る。また、保護層１１４は、第１導電性パターン１３０と第１開口部１２３の内壁との間の前記空間にも形成され得る。保護層１１４は透明な絶縁物質で構成され得る。例えば、保護層１１４は、シリコン酸化物（ＳｉＯｘ）、シリコン窒化物（ＳｉＮｘ）、フッ化マグネシウム（ＭｇＦｘ）、透明な有機物質などを含み得る。第１導電性パターン１３０と第１開口部１２３の内壁との間に介在する保護層１１４の一部は、誘電層の役割を遂行し得る。保護層１１４が誘電層の役割を遂行する場合、第１導電性パターン１３０、保護層１１４及び隣接する第１感知セル１２１の一部をキャパシタとして機能させることができるため、外部から流入する静電気を蓄積させることができ、これによって前記静電気を除去するかまたは減少させることができる。従って、第１導電性パターン１３０と第１開口部１２３の内壁との間に介在する保護層１１４の一部を介して所定の誘電率を確保できるように、第１導電性パターン１３０と第１開口部１２３の内壁との間の空間のサイズを適切に調節することができる。
【００７０】
第１導電性パターン１３０は、第１感知セル１２１と実質的に同一または類似の物質を含み得る。例えば、第１導電性パターン１３０は、透明導電性物質で構成され得る。第１導電性パターン１３０を構成する透明な導電性物質の例としては、インジウム亜鉛酸化物（ＩＺＯ）、インジウム錫酸化物（ＩＴＯ）、アンチモン錫酸化物（ＡＴＯ）、インジウムガリウム酸化物（ＩＧＯ）、亜鉛酸化物、錫酸化物、ガリウム酸化物などを挙げることができる。これらは単独、または、互いに組み合わせて使用することができる。
【００７１】
図２及び図４に示したように、第１感知セル１２１はダミー開口部１２４を含み得る。ダミー開口部１２４は、前記第２方向に沿って延長され得る。例えば、ダミー開口部１２４は、所定の長さを有するスロット（ｓｌｏｔ）形状であり得る。ダミー開口部１２４は第１開口部１２３のセットと第１接続パターン１２２との間に位置し得る。ダミー開口部１２４には後述するように第２感知ライン１４０の第２接続パターン１４２が配置され得る。
【００７２】
第２感知ライン１４０は、透明基板１１０上から前記第２方向に沿って延長され得る。ここで、前記第２方向は前記第１方向に対して実質的に直交され得る。本実施形態では、透明基板１１０上には複数の第２感知ライン１４０が提供され得る。前記第２感知ライン１４０は、前記第２方向に沿って互いに対して実質的に平行に配列され得る。
【００７３】
本実施形態では、第２感知ライン１４０は、複数の第２感知セル１４１と複数の第２接続パターン１４２を具備し得る。この場合、第２感知ライン１４０は、第１感知ライン１２０から電気的に絶縁され得る。第２感知ライン１４０が第１感知ライン１２０に対して実質的に直交する方向に延長される場合、第２感知ライン１４０を第１感知ライン１２０と部分的に交差させることができる。例えば、第１感知ライン１２０及び第２感知ライン１４０は、第１接続パターン１２２及び第２接続パターン１４２が隣接するように配置される構成（例えば、所定の間隔で離隔する構成）とされ得る。また、第１感知ライン１２０及び第２感知ライン１４０は、第１接続パターン１２２及び第２接続パターン１４２が部分的に重なる構成としながら互いに部分的に交差し得る。
【００７４】
第２感知ライン１４０において、第２感知セル１４１は、前記第２方向に沿って配列され、隣接する第２感知セル１４１は互いに所定の間隔で離隔され得る。ここで、第２感知セル１４１は隣接する第１感知セル１２１と実質的に重ならないように位置し得る。また、第２感知セル１４１と第１感知セル１２１は、実質的に同じ平面上に位置し得る。第２接続パターン１４２は、隣接する第２感知セル１４１の間に配置され、隣接する第２感知セル１４１は第２接続パターン１４２によって互いに接続され得る。例えば、第２接続パターン１４２は１つの第２感知セル１４１の一側（例えば、左側）と隣接する第２感知セル１４１の一側（例えば、右側）を互いに電気的に接続され得る。これによって、第２接続パターン１４２により第２感知セル１４１を順次接続させることができるので、前記第２方向に延長される第２感知ライン１４０を具現することができる。
【００７５】
本実施形態では、第２感知セル１４１は実質的にタッチスクリーンパネル１００をタッチする使用者の動作による静電容量の変化を感知することができる。例えば、第２感知セル１４１は、実質的にダイヤモンド形状、菱形状、面取りをした正方形状などの平面形状とすることができる。しかし、第２感知セル１４１の形状は前述の形状に限定されず、タッチスクリーンパネル１００の形状により第２感知セル１４１も多様な形状であり得る。
【００７６】
第１感知セル１２１及び第２感知セル１４１が、実質的に同じ形状である場合、第１感知セル１２１及び第２感知セル１４１は、互いに重ならないが、隣接するように配置され得る。図２には実質的にダイヤモンド形状である第１感知セル１２１及び第２感知セル１４１が隣接する構成が示されている。第２感知セル１４１は透明な導電性物質を含み得る。例えば、各第２感知セル１４１は、インジウム亜鉛酸化物、インジウム錫酸化物、アンチモン錫酸化物、インジウムガリウム酸化物、亜鉛酸化物、ガリウム酸化物、錫酸化物などを含み得る。これらは単独または互いに組み合わせて使用することができる。
【００７７】
本実施形態では、第２接続パターン１４２は、第２感知セル１４１の幅に比べて相対的に狭い幅であり得る。第２接続パターン１４２は第１感知セル１２１と実質的に重なり得る。第２接続パターン１４２が第１感知セル１２１と重なる部分は、できるだけ小さい面積である方がよい。それを考慮して、隣接する第２感知セル１４１の間に一対の第２接続パターン１４２が配置され得る。隣接する第２感知セル１４１の間に２つの第２接続パターン１４２が位置する場合、第２接続パターン１４２の幅を減少させることができる。
【００７８】
第１接続パターン１２２は、一対の第２接続パターン１４２の間に配置され得る。そこで、第２接続パターン１４２はブリッジパターン１４２ａと一対の配線パターン１４２ｂを含み得る。ブリッジパターン１４２ａは、第１感知セル１２１に提供されるダミー開口部１２４内に位置し得る。図４に示したように、ブリッジパターン１４２ａは、ダミー開口部１２４内で実質的に島状に有し、第１感知セル１２１と実質的に同じ平面上に位置し得る。２つの配線パターン１４２ｂは、第１感知セル１２１及び第２感知セル１４１とは異なった平面上に配置され得る。例えば、配線パターン１４２ｂは第１感知セル１２１及び第２感知セル１４１より相対的に高く位置し得る。また、一対の配線パターン１４２ｂはブリッジパターン１４２ａの両側端部を隣接する第２感知セル１４１にそれぞれ電気的に接続され得る。一対の配線パターン１４２ｂは、それぞれブリッジパターン１４２ａに比べて相対的に小さい幅であり得る。この場合、配線パターン１４２ｂは滞積抵抗の減少のために金属や導電性金属化合物で構成され得る。また、ブリッジパターン１４２ａは、第１感知セル１２１と実質的に同じ物質、例えば、透明導電性物質から構成され得る。
【００７９】
一対の配線パターン１４２ｂとブリッジパターン１４２ａは、互いに相異なる平面上に配置され得る。図４に示したように、透明基板１１０上部に一対の配線パターン１４２ｂが配置され得る、前記配線パターン１４２ｂの上部に絶縁膜１１２が位置し得る。この場合、絶縁膜１１２は、各配線パターン１４２ｂの両側端部を露出させるコンタクトホールＣＨを含み得る。即ち、ブリッジパターン１４２ａは、絶縁膜１１２上に配置され、絶縁膜１１２のコンタクトホールＣＨを介して一対の配線パターン１４２ｂに電気的に接続され得る。また、一対の配線パターン１４２ｂはそれぞれコンタクトホールＣＨを介して延長され、これによって、隣接する第２感知セル１４１と電気的に接続させることができる。
【００８０】
本実施形態では、第２感知セル１４１は、第１接続パターン１２２に隣接する複数の第２開口部１４３を含み得る。第２開口部１４３内には静電気除去のための第２導電性パターン１５０を配置され得る。例えば、第２開口部１４３は、実質的に円形、楕円形、多角形の形状など平面形状であり得る。また、第２導電性パターン１５０が第２開口部１４３内で実質的に島状に配置されることによって、外部から第２感知ライン１４０を通して流入する静電気を除去するか或いは減少させることができる。外部から第２感知ライン１４０を通して流入する静電気は、第２開口部１４３内に位置する第２導電性パターン１５０に蓄積することができ、これによって、静電気を減少させるか或いは静電気を除去することができる。第２導電性パターン１５０において、前述した第１導電性パターン１３０の場合と実質的に同じ方式で前記静電気は除去されるか或いは減少する。例えば、外部から第２感知ライン１４０を介して流入する静電気は第２感知ライン１４０が延長される方向の前記第２方向に沿って流すことができる。この場合、前記静電気による損傷は、相対的に狭い幅の第２接続パターン１４２とその周辺のパターンで主に発生し得る。前記第２接続パターン１４２とその周辺の構成要素の損傷を効果的に防止するために、第２開口部１４３と第２導電性パターン１５０を第２接続パターン１４２に隣接して配置することができる。
【００８１】
本実施形態では、第２感知セル１４１の両側部（例えば、左側部及び右側部）が第２接続パターン１４２に接続される場合、第２開口部１４３は、第２感知セル１４１の両側に提供され得る。例えば、複数の第２開口部１４３が第２感知セル１４１の左側部及び右側部にそれぞれ形成され得る。第２開口部１４３は前記第２方向を基準とする時、第２接続パターン１４２に隣接するように位置し得る。例えば、第２開口部１４３のセットが前記第２方向に実質的に直交する前記第１方向に沿って配列され得る。また、第２開口部１４３のセットは複数の列で配列された第２開口部１４３を含み得る。第２感知ライン１４０において、静電気の通過経路を迂回させることが第２接続パターン１４２とその周辺構成要素の損傷を防止するにおいてより効果的である。第２開口部１４３が実質的にマトリックス（ｍａｔｒｉｘ）状に配置される場合、隣接する第２開口部１４３の間の空間が前記静電気の通過経路になり得る。これを考慮して、第２開口部１４３は前記第１方向に沿って実質的にジグザグ形状に配列され得る。複数の第２開口部１４３がジグザグ形状に配列される場合、一つの列の第２開口部１４３の間に次の列の第２開口部１４３が位置するため、前記静電気を迂回させて流すことができる。従って、第２開口部１４３内の位置する第２導電性パターン１５０によって、より効果的に静電気を除去するかまたは減少させることができる。
【００８２】
本実施形態では、第２導電性パターン１５０は、第２開口部１４３と実質的に同一または類似の形状であり得る。この場合、第２開口部１４３の内壁から第２導電性パターン１５０が所定の間隔で離隔され得る。また、第２導電性パターン１５０は、第２感知セル１４１と実質的に同じ物質で構成され得る。例えば、第２導電性パターン１５０は、透明導電性物質で構成され得る。第２導電性パターン１５０を構成する透明な導電性物質の例としてはインジウム亜鉛酸化物、インジウム錫酸化物、アンチモン錫酸化物、インジウムガリウム酸化物、亜鉛酸化物、錫酸化物、ガリウム酸化物などを挙げることができる。これらは単独または互いに組み合わせて使用することができる。
【００８３】
第１の実施形態に係るタッチスクリーンパネル１００において、第１感知ライン１２０を通じて外部から流入する静電気は、第１感知ライン１２０と第２感知ライン１４０との交差部位からジャンプさせて第２感知ライン１４０に流すことができる。同様に、第２感知ライン１４０を通じて外部から流入する静電気は、第２感知ライン１４０と第１感知ライン１２０が交差する部位からジャンプさせて第１感知ライン１２０に伝えることができる。従って、第１開口部１２３及び第２開口部１４３がそれぞれ第１接続パターン１２２及び第２接続パターン１４２を実質的に取り囲むように配置されることが有利であり得る。例えば、第１開口部１２３及び第２開口部１４３は、第１接続パターン１２２及び第２接続パターン１４２に比べて第１感知セル１２１及び第２感知セル１４１の中心部により近く配置され得る。
【００８４】
図１に図示したように、第１検出配線１６０は、第１感知ライン１２０と電気的に接続され得る。第１検出配線１６０は第１感知ライン１２０を通じて感知された信号を外部の制御部（図示せず）に伝達することができる。本実施形態では、第１検出配線１６０は、第１感知ライン１２０と実質的に一対一の対応（ｏｎｅ−ｔｏ−ｏｎｅ  ｃｏｒｒｅｓｐｏｎｄｅｎｃｅ）方式で接続され得る。即ち、透明基板１１０上に提供される第１検出配線１６０の数と第１感知ライン１２０の数が実質的に同一であり得る。ここで、第１検出配線１６０は第１感知ライン１２０の一側の端部に接続され、透明基板１１０の一側に向かって集まり得る。
【００８５】
第２検出配線１７０は、第２感知ライン１４０と電気的に接続され得る。第２検出配線１７０は、第２感知ライン１４０を介して感知された信号を前記制御部に伝達することができる。第２検出配線１７０も第２感知ライン１４０と実質的に一対一の対応方式で接続され得る。例えば、透明基板１１０上に複数の第２感知ライン１４０が配置される場合、複数の第２検出配線１７０が透明基板１１０上に配置され得る。第２検出配線１７０は第２感知ライン１４０の一側の端部に接続され、透明基板１１０の一側に向かって集まり得る。本実施形態では、第１検出配線１６０及び第２検出配線１７０は、透明基板１１０の同一領域で集結され得る。
【００８６】
本発明の第１の実施形態に係るタッチスクリーンパネル１００において、第１開口部１２３及び第２開口部１４３と、第１導電性パターン１３０及び第２導電性パターン１５０とによって外部から流入する静電気を除去するか或いは減少させることができる。これによって、前記静電気による第１感知ライン１２０及び第２感知ライン１４０の損傷を防止することができるので、タッチスクリーンパネル１００のタッチ感知動作の不良を改善することができる。
【００８７】
図５は本発明の第２の実施形態に係るタッチスクリーンパネルの一部を拡大した平面図である。図５にタッチスクリーンパネル２００は開口部と導電性パターンを除いては、図１〜図４を参照して説明したタッチスクリーンパネル１００と実質的に同一或いは類似の構成であり得る。従って、図１〜図４の場合と実質的に同一或いは類似の部材に対する詳細な説明は省略する。
【００８８】
図１及び図５を参照すると、タッチスクリーンパネル２００は、透明基板１１０、第１感知ライン２２０、第１導電性パターン２３０、第２感知ライン２４０、第２導電性パターン２５０、第１検出配線１６０、第２検出配線１７０を具備し得る。
【００８９】
第１感知ライン２２０は、透明基板１１０上で第１方向に沿って延長され得る。第１感知ライン２２０は、前記第１方向に配列される複数の第１感知セル２２１と隣接する第１感知セル２２１を接続する第１接続パターン２２２を含み得る。
【００９０】
第１感知セル２２１は、第１接続パターン２２２と第１接続パターン２２２に隣接する複数の第１開口部２２３を含み得る。前記第１開口部２２３内には、第１導電性パターン２３０が配置され得る。第１開口部２２３は、前記第１方向に対して実質的に直交する第２方向に沿って配列され得る。また、第１開口部２２３のセットは複数の列で配列された第１開口部２２３で構成され、第１開口部２２３は、全体的にジグザグ形状に配置され得る。
【００９１】
図５に示したように、第１開口部２２３は、実質的にダイヤモンド形状、菱形状、正方形状などの平面形状であり得る。第１開口部２２３が前述の平面形状である場合、第１開口部２２３は互いに密接に配列され得る。
【００９２】
第１導電性パターン２３０は、第１開口部２２３と実質的に同一または類似の形状であり得る。例えば、第１導電性パターン２３０も実質的にダイヤモンド形状、菱形状、正方形状などの平面形状であり得る。前述したように、第１導電性パターン２３０によって、外部から第１感知ライン２２０を介して流入する静電気を除去するか、または、減少させることができる。
【００９３】
第１開口部２２３と第１導電性パターン２３０がダイヤモンド形状のような平面形状である場合、第１開口部２２３と第１導電性パターン２３０は互いに密接に配列され得る。従って、外部から流入する静電気を流すことができる空間のサイズが減少するため、第１導電性パターン２３０による静電気の除去または減少効果をより向上させることができる。
【００９４】
第２感知ライン２４０は前記第１方向に対して実質的に直交する第２方向に沿って透明基板１１０上で延長され得る。第２感知ライン２４０は、前記第２方向に沿って配列される複数の第２感知セル２４１と隣接する第２感知セル２４１を接続する複数の第２接続パターン２４２を含み得る。
【００９５】
第２感知セル２４１は、第２接続パターン２４２に隣接する複数の第２開口部２４３を含み得る。前記第２開口部２４３内には、第２導電性パターン２５０が配置され得る。第２開口部２４３は前記第１方向に沿って複数の列で配列され得る。また、第２開口部２４３は実質的にジグザグ形状に配列され得る。
【００９６】
本実施形態では、第２開口部２４３は実質的にダイヤモンド形状、菱形状、正方形状など平面形状であり得る。第２開口部２４３が前述の平面形状である場合には、単位面積当たりに形成される第２開口部２４３の数を増加させることができる。即ち、第２開口部２４３がより密接に配列され得る。
【００９７】
図５に示したように、第２導電性パターン２５０は第２開口部２４３と実質的に同一または類似の形状であり得る。例えば、第２導電性パターン２５０は実質的にダイヤモンド形状、菱形状、正方形状などの平面形状であり得る。第２導電性パターン２５０によって、外部から第２感知ライン２４０に沿って流入する静電気を除去するか或いは減少させることができる。本実施形態では、第２開口部２４３と第２導電性パターン２５０が実質的にダイヤモンドのような平面形状である場合には、第１開口部２２３と第２導電性パターン２５０がより密集するように配置することができるので、静電気を流すことができる空間の大きさを減少させることができる。これにより、第２導電性パターン２５０による静電気の除去または減少効果をより向上させることができる。
【００９８】
図６は本発明の第３の実施形態に係るタッチスクリーンパネルの一部を拡大した平面図である。図７は図６に示したタッチスクリーンパネルの第２開口部を拡大した平面図であり、図８は図７に示したタッチスクリーンパネルをＩＩＩ−ＩＩＩ’ラインに沿って切断した断面図である。図６、図７及び図８に示したタッチスクリーンパネル３００は、導電性パターンと開口部を除いては、図１〜図４を参照して説明したタッチスクリーンパネル１００の場合と実質的に同一または類似の構成であり得る。
【００９９】
図１、図６、図７及び図８を参照すると、タッチスクリーンパネル３００は、透明基板１１０、第１感知ライン３２０、第１導電性パターン３３０、第３導電性パターン３３２、第２感知ライン３４０、第２導電性パターン３５０、第４導電性パターン３５２、第１検出配線１６０、第２検出配線１７０を含み得る。
【０１００】
第１感知ライン３２０は、透明基板１１０上で第１方向に延長され、第１感知ライン３２０は、前記第１方向に配列される複数の第１感知セル３２１と隣接する第１感知セル３２１を接続する複数の第１接続パターン３２２を含み得る。第１感知セル３２１は実質的にダイヤモンド形状、菱形状、面取りをした正方形状などの平面形状であり得る。しかし、第１感知セル３２１の形状は前述の形状に限定されず、タッチスクリーンパネル３００の形状によって第１感知セル３２１は多様な形状であり得る。
【０１０１】
本実施形態では、第１感知セル３２１は、第１接続パターン３２２に隣接する複数の第１開口部３２３、及び実質的に折り曲げられたスロット形状を有する第３開口部３２５を含み得る。第１開口部３２３内には第１導電性パターン３３０が配置され、第３開口部３２５内には第３導電性パターン３３２がそれぞれ位置し得る。
【０１０２】
図６に示したように、第１開口部３２３は、第１接続パターン３２２に隣接する第１感知セル３２１の側面に対して実質的に平行に配列され得る。例えば、第１開口部３２３は第１接続パターン３２２に隣接する第１感知セル３２１の一側面と他の側面から所定の間隔で離隔され得る。また、１つの第１感知セル３２１の４つの側面に隣接して４つの第１開口部３２３のセットが配置され得る。ここで、第１開口部３２３のセットは同数の第１開口部３２３を含み得る。第１開口部３２３は実質的にダイヤモンド形状、菱形状、正方形状などの平面形状であり得る。また、第１導電性パターン３３０は、第１開口部３２３と実質的に同一または類似の形状であり得る。
【０１０３】
本実施形態では、第３開口部３２５は、第１開口部３２３に比べて第１感知セル３２１の中心に相対的に近く位置し得る。第３開口部３２５は第１延長部３２５ａ、第２延長部３２５ｂそして第１延長部３２５ａ及び第２延長部３２５ｂを互いに接続させる第１中央部３２５ｃを含み得る。第１延長部３２５ａ及び第２延長部３２５ｂは、第１接続パターン３２２に隣接する第１感知セル３２１の２つの側面にそれぞれ実質的に平行に配置され得る。第１中央部３２５ｃは、第１延長部３２５ａに接続され、第２延長部３２５ｂに対して平行な第１サブ中央部と、第２延長部３２５ｂに接続され、第１延長部３２５ａに対して平行な第２サブ中央部を含み得る。即ち、第３開口部３２５は、第１接続パターン３２２に隣接する第１感知セル３２１の２つの側面に対して実質的に平行した部分が交互に配列されるジグザグ形状であり得る。この場合、第１開口部３２３は、第１延長部３２５ａと第１感知セル３２１の一側面との間、並びに、第２延長部３２５ｂと第１感知セル３２１の他の側面との間に位置し得る。
【０１０４】
本実施形態では、第３導電性パターン３３２は、第３開口部３２５と実質的に同一または類似の形状であり得る。例えば、第３導電性パターン３３２はそれぞれ相対的に長く、第１感知セル３２１の２つの側面に実質的に平行する部分が交互に配列されるジグザグ形状であり得る。第３導電性パターン３３２は、第１感知セル３２１と実質的に同じ物質、例えば、透明な導電性物質を含み得る。また、第３導電性パターン３３２は第１感知セル３２１と実質的に同じ平面上に位置し得る。
【０１０５】
本実施形態では、第１導電性パターン３３０及び第３導電性パターン３３２によって、外部から第１感知ライン３２０を介して流入する静電気を除去するか或いは減少させることができる。ここで、前記流入する静電気を第３導電性パターン３３２によって静電気を一次的に減少させることができ、第１導電性パターン３３０によって静電気を２次的に減少させることができる。このように、外部から第１感知ライン３２０に流入する静電気のエネルギーを二重に減少させるため、より効果的に静電気を減少させるかまたは除去することができる。
【０１０６】
再び、図６を参照すると、第２感知ライン３４０は透明基板１１０上で第２方向に沿って延長され得る。第２感知ライン３４０は、前記第２方向に配列される複数の第２感知セル３４１と隣接する第２感知セル３４１を接続する複数の第２接続パターン３４２を含み得る。第２感知セル２４１は、実質的にダイヤモンド形状、菱形状、正方形状などの平面形状であり得る。
【０１０７】
図６に示したように、第２感知セル２４１は、第２接続パターン２４２に隣接する複数の第２開口部３４３と、折り曲げられたスロット形状の第４開口部３４５を含み得る。第２開口部３４３内には第２導電性パターン３５０が配置され、第４開口部３４５内には第４導電性パターン３５２が位置し得る。
【０１０８】
本実施形態では、第２開口部３４３は、第２接続パターン３４２に隣接する第２感知セル３４１の２つの側面に実質的に平行に配列され得る。例えば、２つの第２開口部３４３のセットが第２接続パターン３４２に隣接する第２感知セル３４１の第１側面及び第２側面と所定の間隔で離隔し配置され得る。ここで、第２開口部３４３のセット内の第２開口部３４３の数は同一であり得る。また、２つの第２開口部３４３のセットが第２感知セル３４１の第３側面及び第４側面にそれぞれ実質的に平行に配置され得る。第２開口部３４３は、実質的にダイヤモンド形状、菱形状、正方形状などの平面形状であり得る。第２導電性パターン３５０は第２開口部３４３と実質的に同一または類似の形状であり得る。
【０１０９】
第４開口部３４５は、第２開口部３４３に比べて第２感知セル３４１の中心に相対的に近く配置され得る。本実施形態では、第４開口部３４５は第３延長部３４５ａ、第４延長部３４５ｂ、そして第３延長部３４５ａ及び第４延長部３４５ｂを互いに接続される第２中央部３４５ｃを含み得る。第３延長部３４５ａ及び第４延長部３４５ｂは、第２接続パターン３４２に隣接する第２感知セル３４１の２つの側面にそれぞれ平行に配置され得る。第２中央部３４５ｃは、第３延長部３４５ａと接続され、第４延長部３４５ｂに対して平行な第３サブ中央部及び第４延長部３４５ｂと接続され、第３延長部３４５ａに対して平行な第４サブ中央部を含み得る。例えば、第４開口部３４５は、第２接続パターン３４２に隣接する第２感知セル３４１の２つの側面に平行する部分が交互に配列されるジグザグ形状のパターンに該当し得る。この場合、第２開口部３４３は、第３延長部３４５ａと第２感知セル３４１の一側面との間及び第４延長部３４５ｂと第２感知セル３４１の他の側面との間に配置され得る。
【０１１０】
第４導電性パターン３５２は、第４開口部３４５と実質的に同一または類似の形状であり得る。本実施形態では、第４導電性パターン３５２は、それぞれ相対的に長く、第２感知セル３４１の２つの側面に対して実質的に平行する部分が交互に配列されるジグザグ形状であり得る。第４導電性パターン３５２は第２感知セル３４１と実質的に同じ物質、例えば、透明な導電性物質を含み得る。また、第４導電性パターン３５２は第２感知セル３４１と実質的に同じ平面上に位置し得る。
【０１１１】
本発明の第３の実施形態に係るタッチスクリーンパネル３００において、第２導電性パターン３５０及び第４導電性パターン３５２によって、外部から第２感知ライン３４０に流入する静電気をより効果的に除去することができる。この場合、第４導電性パターン３５２によって前記静電気を一次的に減少させ、第２導電性パターン３５０によって前記静電気を二次的に減少させることができる。従って、外部から第２感知ライン３４０を通して流入する静電気を二重に減少させることができるため、より効果的に静電気を除去するかまたは減少させることができる。
【０１１２】
図６及び図７に示したように、タッチスクリーンパネル３００は、第３導電性パターン３３２により静電気を蓄積されるようにするために、避雷針部材３０２を追加的に含み得る。避雷針部材３０２によって、第１感知ライン３２０を通して流入する静電気を第３導電性パターン３３２に誘導することができる。
【０１１３】
避雷針部材３０２は、第１感知セル３２１及び第３導電性パターン３３２と異なる平面上に配置することができる。避雷針部材３０２と、第１感知セル３２１及び第３導電性パターン３３２との間には絶縁膜３１２が配置され得る。避雷針部材３０２の一側は、第１感知セル３２１と実質的に重なり、避雷針部材３０２の他側は第３導電性パターン３３２と実質的に重なり得る。避雷針部材３０２は、絶縁膜３１２に提供されるコンタクトホールＣＨを介して第１感知セル３２１に電気的に接続され得る。第３導電性パターン３３２に重なる避雷針部材３０２の他側は端部がテーパー状であり得る。従って、第１感知セル３２１に流入する静電気を、避雷針部材３０２を介して第３導電性パターン３３２に誘導し除去することができる。避雷針部材３０２は金属または導電性金属化合物を含み得る。
【０１１４】
本実施形態では、１つの第３導電性パターン３３２に対して複数の避雷針部材３０２が提供され得る。例えば、複数の避雷針部材３０２が、第１感知セル３２１の中心に近い方向に位置する第３開口部３２５の端部にそれぞれ配置され得る。
【０１１５】
また、追加する避雷針部材が、第２感知セル３４１及び第４導電性パターン３５２と異なる平面上に配置され得る。前記追加する避雷針部材は、位置を除いて、上述の避雷針部材３０２と実質的に同一または類似の構成であり得る。本実施形態では、１つの第４導電性パターン３５２に対して複数の避雷針部材が提供され得る。例えば、前記追加する避雷針部材は第２感知セル３４１の中心に近い方向に位置する第４開口部３４５の端部に位置し得る。
【０１１６】
本発明の第３の実施形態に係るタッチスクリーンパネル３００において、各導電性パターン３３０、３５０、３３２、３５２によって、外部から第１感知ライン３２０及び第２感知ライン３４０に流入する静電気を減少させるかまたは実質的に除去することができる。これによって、タッチスクリーンパネル３００内部に流入する静電気によるパターンの損傷を防止することができるので、タッチスクリーンパネル３００のタッチ感知動作の不良を防止することができる。
【０１１７】
図９は本発明の第４の実施形態に係るタッチスクリーンパネルの部分拡大平面図である。図９に例示したタッチスクリーンパネル４００は、開口部及び導電性パターンを除いては、図１〜図４を参照して説明したタッチスクリーンパネル１００と実質的に同一または類似の構成であり得る。
【０１１８】
図１及び図９を参照すると、タッチスクリーンパネル４００は、透明基板１１０、第１感知ライン４２０、第１導電性パターン４３０、第３導電性パターン４３２、第５導電性パターン４３４、第２感知ライン４４０、第２導電性パターン４５０、第４導電性パターン４５２、第１検出配線１６０、第２検出配線１７０を具備し得る。
【０１１９】
透明基板１１０上で第１感知ライン４２０は第１方向に延長され得る。第１感知ライン４２０は、前記第１方向に配列される複数の第１感知セル４２１と隣接する第１感知セル４２１を接続する複数の第１接続パターン４２２を含み得る。この場合、第１感知セル４２１は実質的にダイヤモンド形状、菱形状、面取りをした正方形状など平面形状であり得る。
【０１２０】
本実施形態では、第１感知セル４２１は、第１接続パターン４２２に隣接する第１開口部４２３、第３開口部４２５、及び第５開口部４２６を含み得る。例えば、第３開口部４２５及び第５開口部４２６は、それぞれスロット形状であり得る。この場合、第３開口部４２５は前記折り曲げられたスリット形状であり得る。
【０１２１】
第１開口部４２３内には第１導電性パターン４３０が配置され、第３開口部４２５内には第３導電性パターン４３２が配置され得る。また、第５開口部４２６内には第５導電性パターン４３４が位置し得る。
【０１２２】
第１開口部４２３は第１接続パターン４２２に隣接する第１感知セル４２１の２つの側面に対して実質的に平行に配列され得る。例えば、２つの第１開口部４２３のセットが第１接続パターン４２２に隣接する第１感知セル４２１の第１側面及び第２側面から所定の間隔で離隔し配列され得る。ここで、前記セットは同じ数の第１開口部４２３を含み得る。また、２つの第１開口部４２３のセットが第１感知セル４２１の第３側面及び第４側面に対して実質的に平行に配置され得る。第１開口部４２３は、実質的にダイヤモンド形状、菱形状、正方形状などの平面形状であり得る。
【０１２３】
第１導電性パターン４３０は第１開口部４２３と実質的に同一または類似の形状であり得る。例えば、第１導電性パターン３３０は、実質的にダイヤモンド形状、菱形状、正方形状などの平面形状であり得る。この場合、第１導電性パターン３３０は第１開口部４２３内に実質的に島状に配置され得る。
【０１２４】
第３開口部４２５は第１開口部４２３に比べて第１感知セル４２１の中心により近く配置され得る。本実施形態では、第３開口部４２５は第１延長部４２５ａ、第２延長部４２５ｂ、そして第１延長部４２５ａ及び第２延長部４２５ｂを互いに接続される第１中央部４２５ｃを含み得る。第１延長部４２５ａ及び第２延長部４２５ｂは、それぞれ第１接続パターン４２２に隣接する第１感知セル４２１の２つの側面に実質的に平行に配置され得る。第１中央部４２５ｃは、第１延長部４２５ａと接続され、第２延長部４２５ｂに対して平行な第１サブ中央部及び第２延長部４２５ｂに接続され、第１延長部４２５ａに対して平行な第２サブ中央部を含み得る。例えば、第３開口部４２５は全体的にジグザグ形状であり得る。ここで、第１開口部４２３は、第１延長部４２５ａと第１感知セル４２１の一側面との間及び第２延長部４２５ｂと第１感知セル４２１の他側面との間に位置し得る。
【０１２５】
第３導電性パターン４３２は、第３開口部４２５と実質的に同一または類似の形状であり得る。本実施形態では、第３導電性パターン４３２はそれぞれ相対的に長く、第１感知セル４２１の２つの側面に実質的に平行した部分が交互に配列されるジグザグ形状であり得る。また、第３導電性パターン４３２は、第１感知セル４２１と実質的に同じ物質、例えば、透明な導電性物質を含み得る。一方、第３導電性パターン４３２は、第１感知セル４２１と実質的に同じ平面上に位置し得る。
【０１２６】
本実施形態では、第５開口部４２６は、第１開口部４２３及び第３開口部４２５に比べて第１感知セル４２１の中心部から相対的に遠くに配置され得る。第５開口部４２６は、第３開口部４２５とは相異なる形状であり得る。例えば、第５開口部４２６は、前記第２方向に延長する実質的に線形のスロット形状であり得る。第５開口部４２６は、前記第１方向に沿って互いに平行に配置され得る。また、第５開口部４２６は互いに異なる長さであり得る。第１感知セル４２１が実質的にダイヤモンド形状であり、第５開口部４２６が前記第１方向に沿って平行に配置される場合には、第５開口部４２６が第１感知セル４２１の側面から実質的に均一な離隔された幅を確保できるように、第５開口部４２６が互いに異なる長さであり得る。例えば、第１感知セル４２１の中心により近く配置される第５開口部４２６が、残りの第５開口部４２６より相対的に長くあり得る。
【０１２７】
第５開口部４２６内には第５導電性パターン４３４が配置され得る。第５導電性パターン４３４は、第５開口部４２６と実質的に同一または類似の形状であり得る。第５導電性パターン４３４は、その形状を除いて、第３導電性パターン４３２と実質的に同じ特徴を有するので、詳細な説明は省略する。
【０１２８】
前述した通り、各導電性パターン４３０、４３２、４３４によって、外部から第１感知ライン４２０を通して流入する静電気を除去するかまたは減少させることができる。通常、第１感知ライン４２０に流入する静電気による損傷は、第１感知ライン４２０及び第２感知ライン４４０が交差する部分でよく発生する。特に、前記静電気による損傷は、第１感知セル４２１と部分的に重なり、相対的に幅が狭い第２感知ライン４４０の第２接続パターン４４２で発生する。この場合、第１導電性パターン４３０及び第３導電性パターン４３２により、静電気による第１感知ライン４２０及び第２感知ライン４４０の損傷を防止することができ、第５導電性パターン４３４によって静電気に最も弱い第２接続パターン４４２の損傷までも防止することができる。
【０１２９】
再び、図１及び図９を参照すると、第２感知ライン４４０は透明基板１１０上で第２方向に沿って延長され得る。第２感知ライン４４０は、前記第２方向に配列される複数の第２感知セル４４１と隣接する第２感知セル４４１を接続する複数の第２接続パターン４４２を含み得る。第２感知セル４４１は、実質的にダイヤモンド形状、菱形状、正方形状など平面形状であり得る。
【０１３０】
本実施形態では、第２感知セル４４１は、第２接続パターン４４２に隣接する第２開口部４４３及び第４開口部４４５を含み得る。第２開口部４４３内には第２導電性パターン４５０が配置され、第４開口部４４５内には第４導電性パターン４５２が位置し得る。
【０１３１】
第２開口部４４３は、第２接続パターン４４２に隣接する第２感知セル４４１の２つの側面にそれぞれ平行に配列され得る。例えば、所定の数の第２開口部４４３が、第２接続パターン４４２に隣接する第２感知セル４４１の第１側面及び第２側面から所定の間隔で離隔して配置され得る。また、所定の数の第２開口部４４３が第２感知セル４４１の第３側面及び第４側面に実質的に平行に配置され得る。第２開口部４４３は、実質的にダイヤモンド形状、菱形状、正方形状などの平面形状であり得る。一方、第２導電性パターン４５０は、第２開口部４４３と実質的に同一または類似の形状であり得る。
【０１３２】
第４開口部４４５は、第２開口部４４３に比べて第２感知セル４４１の中心に相対的に近く位置し得る。本実施形態では、第４開口部４４５は第３延長部４４５ａ、第４延長部４４５ｂ、そして第３延長部４４５ａ及び第４延長部４４５ｂを互いに接続する第２中央部４４５ｃを含み得る。第３延長部４４５ａ及び第４延長部４４５ｂは、第２接続パターン４４２に隣接する第２感知セル４４１の２つの側面に対してそれぞれ実質的に平行に配置され得る。第２中央部４４５ｃは、第３延長部４４５ａに接続され、第４延長部４４５ｂに対して平行する第３サブ中央部と第４延長部４４５ｂに接続され、第３延長部４４５ａに対して平行する第４サブ中央部を含み得る。例えば、第４開口部４４５は、実質的にジグザグ形状であり得る。この場合、第２開口部４４３は、第３延長部４４５ａと第２感知セル４４１の一側面との間及び第４延長部４４５ｂと第２感知セル４４１の他側面との間に配置され得る。
【０１３３】
第４導電性パターン４５２は、第４開口部４４５と実質的に類似であるか或いは同じ形状であり得る。例えば、第４導電性パターン４５２は、それぞれ相対的に長く、第２感知セル４４１の２つの側面に平行する部分が交互に配列されるジグザグ形状であり得る。第４導電性パターン４５２は、第２感知セル４４１と実質的に同じ物質、例えば、透明な導電性物質を含み得る。また、第４導電性パターン４５２は第２感知セル４４１と実質的に同じ平面上に位置し得る。
【０１３４】
本実施形態では、第２導電性パターン４５０及び第４導電性パターン４５２によって、外部から第２感知ライン４４０に流入する静電気を除去するかまたは減少させることができる。この場合、第４導電性パターン４５２によって静電気を一次的に減少させ、第２導電性パターン４５０によって静電気を二次的に減少させることができる。これにより、外部から第２感知ライン４４０を介して流入する静電気を二重に減少させることができるので、より効果的に静電気を除去するかまたは減少させることができる。
【０１３５】
第４の実施形態に係るタッチスクリーンパネル４００において、第３導電性パターン４３２及び第４導電性パターン４５２によって、より容易に静電気を蓄積できるようにするために、第１避雷針部材４０２及び第２避雷針部材４０４が追加で提供され得る。第１避雷針部材４０２及び第２避雷針部材４０４によって、それぞれ静電気を第３導電性パターン４３２及び第４導電性パターン４５２に誘導することができる。
【０１３６】
第１避雷針部材４０２は、第１感知セル４２１及び第３導電性パターン４３２とは異なる平面上に位置し得る。第１避雷針部材４０２と第１感知セル４２１及び第３導電性パターン４３２との間には、絶縁膜（図示せず）が配置され得る。第１避雷針部材４０２の一側は、第１感知セル４２１と実質的に重なり、第１避雷針部材４０２の他側は、第３導電性パターン４３２と実質的に重なり得る。第１避雷針部材４０２は、前記絶縁膜に提供されるコンタクトホール（図示せず）を介して第１感知セル４２１に電気的に接続され得る。第３導電性パターン４３２に重なる第１避雷針部材４０２の他側はその幅が狭く、尖った形状であり得る。これによって、第１感知セル４２１に流入する静電気は、第１避雷針部材４０２を介して第３導電性パターン４３２に誘導されて蓄積され得る。
【０１３７】
第１避雷針部材４０２は、導電性金属化合物または金属を含み得る。本実施形態では、第３導電性パターン４３２に複数の第１避雷針部材４０２が提供され得る。例えば、第１避雷針部材４０２は第１感知セル４２１の中心に近い方向に位置する第３開口部４２５の端部に配置され得る。
【０１３８】
第２避雷針部材４０４は、第２感知セル４４１及び第４導電性パターン４５２とは相異なる平面上に配置され得る。第２避雷針部材４０４は、その位置を除いて、第１避雷針部材４０２と実質的に同じ特性であり得る。従って、第２避雷針部材４０４に対する詳細な説明は省略する。本実施形態では、１つの第４導電性パターン４５２に複数の第２避雷針部材４０４が提供され得る。例えば、第２避雷針部材４０４は、第２感知セル４４１の中心部に近い方向に位置する第４開口部４４５の端部に配置され得る。
【０１３９】
第４の実施形態において、タッチスクリーンパネル４００は、第５導電性パターン４３４による静電気除去効果を向上させるために、ダミー配線パターン４０６を追加で具備し得る。このようなダミー配線パターン４０６を介して静電気が迂回し得るので、静電気をより効果的に除去するかまたは減少させることができる。また、相対的に大きな静電気がタッチスクリーンパネル４００に流入する場合には、第２接続パターン４４２が損傷する前にダミー配線パターン４０６が先に損傷され得るため、前記静電気の量を減少させることができる。これによって、第２接続パターン４４２の損傷を防ぐことができる。
【０１４０】
本実施形態では、ダミー配線パターン４０６は、第５導電性パターン４３４の一側の端部または他側の端部に配置され得る。それぞれのダミー配線パターン４０６は、隣接する第２感知セル４４１と第５開口部４２６内に配置される第５導電性パターン４３４の一側の端部（または、他側の端部）を接続し得る。ダミー配線パターン４０６は第２感知セル４４１及び第５導電性パターン４３４とは異なる平面上に配置され得る。例えば、ダミー配線パターン４０６と第２感知セル４４１及び第５導電性パターン４３４との間には絶縁膜（図示せず）が配置され得る。ダミー配線パターン４０６の一側は、第２感知セル４４１に実質的に重なり、他側は第５導電性パターン４３４に実質的に重なり得る。図示はしていないが、ダミー配線パターン４０６は、第２感知セル４４１及び第５導電性パターン４３４が重なる領域に対応して前記絶縁膜に提供されるコンタクトホールを介して第２感知セル４４１と第５導電性パターン４３４を接続し得る。
【０１４１】
再び、図９を参照すると、ダミー配線パターン４０６は、隣接する前記第５導電性パターン４３４に対して互いに異なる方向に沿って配置され得る。例えば、１つの第５導電性パターン４３４の一側の端部に１つのダミー配線パターン４０６が提供される場合、これに隣接する他の第５導電性パターン４３４は、他側の端部に他のダミー配線パターン４０６が配置され得る。これにより、実質的に平行に配置された第５導電性パターン４３４に対してダミー配線パターン４０６が一側の端部及び他側の端部に交互に提供され、外部からの静電気が先にダミー配線パターン４０６を損傷させることになるか、または、迂回することになるため、外部からの静電気の量を減少させることができる。
【０１４２】
上述したように、タッチスクリーンパネル４００が各導電性パターン４３０、４５０、４３２、４５２、４３４を具備し得るため、外部から第１感知ライン４２０及び第２感知ライン４４０に流入する静電気をより効率的に除去するかまたは減少させることができる。これによって、タッチスクリーンパネル４００内部に流入する静電気に起因する構成要素の損傷を防止することができる。
【０１４３】
図１０は本発明の第５の実施形態に係るタッチスクリーンパネルの一部を拡大した平面図であり、図１１は図１０に示したタッチ  パネルスクリーンの第１開口部を拡大した平面図である。図１０及び図１１に示したタッチスクリーンパネル５００は、開口部と導電性パターンを除いて、図５または図９を参照して説明したタッチスクリーンパネルと実質的に同一または類似の構成であり得る。従って、図示及び説明の便意上、同一構成要素に対する参照符号と説明は省略する。
【０１４４】
図１、図１０及び図１１を参照すると、タッチスクリーンパネル５００は透明基板１１０、第１感知ライン５２０、第１追加導電性パターン５３０、第２感知ライン５４０、第２追加導電性パターン５５０、第１検出配線１６０、第２検出配線１７０を具備し得る。
【０１４５】
透明基板１１０上で第１感知ライン５２０は第１方向に沿って延長され得る。第１感知ライン５２０は、前記第１方向に配列された複数の第１感知セル５２１と隣接し、第１感知セル５２１を接続する複数の第１接続パターン５２２を含み得る。
【０１４６】
第１感知セル５２１は第１接続パターン５２２に隣接する第１追加開口部５２３を具備し得る。第１追加開口部５２３内には第１追加導電性パターン５３０が配置され得る。例えば、第１追加開口部５２３は、前記第１方向に実質的に直交する第２方向に沿って延長するスロット形状であり得る。第１追加導電性パターン５３０は、第１追加開口部５２３内に実質的に島状に配置され、第１追加開口部５２３と実質的に同一または類似の形状であり得る。即ち、第１追加導電性パターン５３０は、前記第２方向に沿って延長され得る。第１追加導電性パターン５３０によって外部から第１感知ライン５２０に流入する静電気をより効果的に除去するかまたは減少させることができる。
【０１４７】
第２感知ライン５４０は、前記第１方向に対して実質的に直交する第２方向に沿って延長され得る。第２感知ライン５４０は、第２方向に配列される複数の第２感知セル５４１と隣接する第２感知セル５４１を接続する複数の第２接続パターン５４２を含み得る。
【０１４８】
第２感知セル５４１は、第２追加接続パターン５４２に隣接する第２開口部５４３を含み得る。第２追加開口部５４３内には第２導電性パターン５５０が配置され得る。例えば、第２追加開口部５４３は、前記第１方向に沿って延長するスロット形状であり得る。第２追加導電性パターン５５０は、第２追加開口部５４３に島状に配置され、第２追加開口部５４３と実質的に同一または類似の形状であり得る。第２追加導電性パターン５５０は前記第１方向に延長され得る。第２追加導電性パターン５５０によって外部から第２感知ライン５４０に流入する静電気をより効率的に除去するかまたは減少させることができる。
【０１４９】
また、上述したように、第１感知セル５２１と第１追加導電性パターン５３０との間、及び第２感知セル５４１と第２追加導電性パターン５５０との間には、静電気を第１追加導電性パターン５３０及び第２追加導電性パターン５５０に誘導するための避雷針部材（図示せず）がそれぞれ提供され得る。
【０１５０】
本実施形態では、第１感知セル５２１は、第１追加開口部５２３の内壁から第１追加開口部５２３内側に突出する第１突出部５０２を含み得る。例えば、複数の第１突出部５０２が第１追加開口部５２３の内壁について所定の間隔で離隔して配置され得る。また、第２感知セル５４１は、第２追加開口部５４３の内壁から突出する第２突出部５０４を含み得る。例えば、複数の第２突出部５０４が第２追加開口部５４３の内壁に沿って所定の間隔で離隔して配置され得る。この場合、第１突出部５０２及び第２突出部５０４は、それぞれ静電気を誘導できるように端部が狭く、尖った形状であり得る。
【０１５１】
第１感知セル５２１及び第２感知セル５４１は、それぞれ第１突出部５０２及び第２突出部５０４に対応して第１追加導電性パターン５３０及び第２追加導電性パターン５５０に形成される第３突出部５０６及び第４突出部５０８を含み得る。本実施形態では、第１追加導電性パターン５３０は、第１突出部５０２に対応して第１突出部５０２に向かう第３突出部５０６を含み得る。この場合、第３突出部５０６は第１突出部５０２に実質的に一対一の対応方式で配列され得る。第２追加導電性パターン５５０は、第２突出部５０４に対応して第２突出部５０４に向かう第４突出部５０８を含み得る。第４突出部５０８も第２突出部５０４に実質的に一対一の対応方式で配列され得る。第３突出部５０６及び第４突出部５０８は、それぞれ静電気が誘導されやすくなるように端部が狭く、尖った形状であり得る。互いに対応する第１突出部５０２と第３突出部５０６、及び、第２突出部５０４と第４突出部５０８は、直接的に接触しなくてもよい。例えば、第１突出部５０２の端部と第３突出部５０６の端部が、互いに所定の間隔で離隔され、第２突出部５０４の端部と第４突出部５０８の端部も互いに所定の間隔で離隔され得る。
【０１５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１５３】
１００、２００、３００、４００、５００    タッチスクリーンパネル
１１０                                    透明基板
１１２、３１２                            絶縁膜
１１４                                    保護層
１２０、２２０、３２０、４２０、５２０    第１感知ライン
１２１、２２１、３２１、４２１、５２１    第１感知セル
１２２、２２２、３２２、４２２、５２２    第１接続パターン
１２３、２２３、３２３、４２３、５２３    第１開口部
１２４                                    ダミー開口部
１３０、２３０、３３０、４３０、５３０    第１導電性パターン
１４０、２４０、３４０、４４０、５４０    第２感知ライン
１４１、２４１、３４１、４４１、５４１    第２感知セル
１４２、２４２、３４２、４４２、５４２    第２接続パターン
１４２ａ                                  ブリッジパターン
１４２ｂ                                  配線パターン
１４３、２４３、３４３、４４３、５４３    第２開口部
１５０、２５０、３５０、４５０、５５０    第２導電性パターン
１６０                                    第１検出配線
１７０                                    第２検出配線
３０２                                    避雷針部材
３２５ａ、４２５ａ                        第１延長部
３２５ｂ、４２５ｂ                        第２延長部
３２５ｃ、４２５ｃ                        第１中央部
３２５、４２５                            第３開口部
３４５、４４５                            第４開口部
３４５ａ、４４５ａ                        第３延長部
３４５ｂ、４４５ｂ                        第４延長部
３４５ｃ、４４５ｃ                        第２中央部
３３２、４３２                            第３導電性パターン
３５２、４５２                            第４導電性パターン
４０２                                    第１避雷針部材
４０４                                    第２避雷針部材
４０６                                    ダミー配線パターン
４２６                                    第５開口部
４３４                                    第５導電性パターン
５０２                                    第１突出部
５０４                                    第２突出部
５０６                                    第３突出部
５０８                                    第４突出部
ＣＨ                                    コンタクトホール
【図１】
2018097893.tif 000003
【図２】
2018097893.tif 000004
【図３】
2018097893.tif 000005
【図４】
2018097893.tif 000006
【図５】
2018097893.tif 000007
【図６】
2018097893.tif 000008
【図７】
2018097893.tif 000009
【図８】
2018097893.tif 000010
【図９】
2018097893.tif 000011
【図１０】
2018097893.tif 000012
【図１１】
2018097893.tif 000013